(57)【要約】      （修正有）【課題】ガイド機能の向上を図ることができる、画像処理装置を提供する。【解決手段】画像読取装置１は、第１トレイ１１および第２トレイ１２を備えている。第１トレイ１１は、画像処理部を内部に備える筐体２に設けられている。第２トレイ１２は、第１トレイ１１に回動可能に支持されている。第１トレイ１１および第２トレイ１２は、それぞれ第１トレイ面および第２トレイ面を有している。第１トレイ面上に、第１ガイド４２が位置している。そして、第１ガイド４２には、第１トレイ面上と第２トレイ面上とを変位可能な第２ガイド４３が連結されている。【選択図】図２
2015074516.tif 000002
【特許請求の範囲】
【請求項１】
画像処理部を内部に備える筐体と、
前記筐体に設けられ、第１トレイ面を有する第１トレイと、
前記第１トレイに回動可能に支持され、第２トレイ面を有する第２トレイと、
前記第１トレイ面上に位置し、前記第２トレイの回動軸心に直交かつ前記第１トレイ面に平行をなす第１方向に延び、または、前記第２トレイ面上に位置し、前記第２トレイの回動軸心に直交かつ前記第２トレイ面に平行をなす第２方向に延びる第１ガイドと、
前記第１ガイドに連結され、前記第１トレイ面上と前記第２トレイ面上とを変位可能な第２ガイドとを備える、画像処理装置。
【請求項２】
前記第１ガイドは、前記第１トレイ面上に位置し、かつ前記第１方向に延び、
前記筐体には、前記第１トレイに対して前記第２トレイと反対側に、前記第１方向に開口した給紙口が形成されている、請求項１に記載の画像処理装置。
【請求項３】
前記第２ガイドは、前記第１トレイ面内で前記第１トレイ面と交差する方向に延びる回動軸心周りの回動により、前記第１トレイ面上と前記第２トレイ面上とを変位可能である、請求項２に記載の画像処理装置。
【請求項４】
前記第１ガイドは、前記第２トレイの回動軸心に沿った幅方向の一方側および他方側にそれぞれ設けられ、
前記第２ガイドは、個々の前記第１ガイドに対応して設けられ、かつ前記第１方向と他方の前記第２ガイドに向かう前記幅方向との間で、前記第１トレイ面内で前記第１トレイ面と交差する方向に延びる回動軸心周りの回動により、前記第１トレイ面上と前記第２トレイ面上とを変位可能である、請求項３記載の画像処理装置。
【請求項５】
少なくとも一方の前記第１ガイドは、前記幅方向に移動可能に構成され、
前記第２ガイドは、前記少なくとも一方の第１ガイドが他方の前記第１ガイドに最も近接し、各前記第２ガイドが前記第１トレイ面上に位置する状態において、各前記第２ガイドの幅方向の長さの和が一方の前記第２ガイドの回動軸心と他方の前記第２ガイドの回動軸心との間の距離よりも短くなるように形成されている、請求項４に記載の画像処理装置。
【請求項６】
前記第２ガイドは、前記第２ガイドの回動軸心に沿った方向において、前記第１ガイドの高さ以下の高さを有している、請求項３〜５のいずれか一項に記載の画像処理装置。
【請求項７】
前記第２トレイは、回動により、前記第１トレイ面に対して相対的に開いた状態となる開位置と前記第１トレイ面に対して相対的に閉じた状態となる閉位置とに変位可能であり、
前記第２ガイドは、前記第２トレイが前記開位置に位置する状態において、回動により、前記他方の前記第２ガイドに向かう前記幅方向に位置する収納位置と前記第２トレイ面上の使用位置とに変位可能に設けられている、請求項３〜６のいずれか一項に記載の画像処理装置。
【請求項８】
前記第２ガイドは、前記使用位置において、前記第２ガイドの回動軸心に対して前記第１方向に最も離間する先端部が前記第２ガイドの回動軸心に対して前記他方の前記第２ガイドに向かう前記幅方向に位置する形状に形成されている、請求項７に記載の画像処理装置。
【請求項９】
前記第２ガイドは、前記使用位置において前記先端部から前記第２ガイドの回動軸心に向かって傾斜する傾斜部を備える、請求項８に記載の画像処理装置。
【請求項１０】
前記傾斜部は、前記第２ガイドが前記使用位置に位置する状態において、前記第２ガイドの回動軸心と前記先端部とを結ぶ直線に対して前記他方の前記第２ガイドと反対方向の前記幅方向に形成される、請求項９に記載の画像処理装置。
【請求項１１】
前記傾斜部は、前記第２ガイドが前記使用位置に位置する状態において、前記第２ガイドの回動軸心と前記先端部とを結ぶ直線に対して前記他方の前記第２ガイドに向かう前記幅方向に形成される、請求項９に記載の画像処理装置。
【請求項１２】
前記第２トレイは、前記開位置において、前記第２トレイの回動軸心が前記第２トレイ面を含む平面に対して前記第２ガイド側に位置するように設けられている、請求項８〜１１のいずれか一項に記載の画像処理装置。
【請求項１３】
前記第２トレイには、貫通孔が前記第２トレイ面と直交する方向に貫通して形成されており、
前記第２ガイドは、前記使用位置において、前記先端部が前記貫通孔に対して前記第２トレイの回動軸心側に位置するように形成されている、請求項８〜１２のいずれか一項に記載の画像処理装置。
【請求項１４】
前記第２ガイドを前記収納位置から前記使用位置に向けて付勢する付勢手段を備える、請求項７〜１３のいずれか一項に記載の画像処理装置。
【請求項１５】
画像処理部を内部に備える筐体と、
前記筐体に設けられ、第１トレイ面を有する第１トレイと、
第１トレイに回動可能に支持され、第２トレイ面を有する第２トレイと、
前記第１トレイ面上に位置し、前記第２トレイの回動軸心に直交かつ前記第１トレイ面に平行をなす第１方向に延びる第１ガイドと、
前記第１ガイドに連結され、前記第１トレイ面に垂直な方向に延びる回動軸心周りに前記第１トレイ面上と前記第２トレイ面上とを回動可能な第２ガイドとを備える、画像処理装置。
【発明の詳細な説明】
【技術分野】
【０００１】
本発明は、画像処理装置に関する。
【背景技術】
【０００２】
たとえば、特許文献１に開示されている画像読取装置は、シートを載置するための給紙トレイを備えている。給紙トレイは、ヒンジにより、装置本体に対して開閉可能に設けられている。給紙トレイが開かれた状態で、装置本体に形成された給紙口が開放される。そして、用紙は、給紙口の下端をなす下面と給紙トレイのトレイ面とに跨がって載置される。また、給紙トレイが閉じられた状態では、給紙トレイが装置本体の上面に重なり、給紙口が給紙トレイにより覆われる。
【０００３】
給紙トレイのトレイ面には、シートの幅方向の位置を規制するガイドが回動可能に設けられている。ガイドの回動軸心は、給紙トレイの回動軸心と直交かつトレイ面と平行をなす方向に延びている。ガイドは、その回動軸心を中心とする回動により、給紙トレイのトレイ面に対して起立する状態とトレイ面に対して倒伏した状態とに変位する。
【先行技術文献】
【特許文献】
【０００４】
【特許文献１】特開２０１０−２２２１３２号公報
【発明の概要】
【発明が解決しようとする課題】
【０００５】
しかしながら、ガイドは、給紙トレイ面上のみに設けられ、給紙口の下端をなす下面には設けられていない。そのため、ガイドの長さが不十分で、ガイドとしての機能が十分に発揮できない。その結果、シートが斜行するおそれがある。
【０００６】
本発明の目的は、ガイド機能の向上を図ることができる、画像処理装置を提供することである。
【課題を解決するための手段】
【０００７】
前記の目的を達成するため、本発明に係る画像処理装置は、画像処理部を内部に備える筐体と、筐体に設けられ、第１トレイ面を有する第１トレイと、第１トレイに回動可能に支持され、第２トレイ面を有する第２トレイと、第１トレイ面上に位置し、第２トレイの回動軸心に直交かつ第１トレイ面に平行をなす第１方向に延び、または、第２トレイ面上に位置し、第２トレイの回動軸心に直交かつ第２トレイ面に平行をなす第２方向に延びる第１ガイドと、第１ガイドに連結され、第１トレイ面上と第２トレイ面上とを変位可能な第２ガイドとを備える。
【０００８】
この構成によれば、画像処理装置は、第１トレイおよび第２トレイを備えている。第１トレイは、画像処理部を内部に備える筐体に設けられている。第２トレイは、第１トレイに回動可能に支持されている。第１トレイおよび第２トレイは、それぞれ第１トレイ面および第２トレイ面を有している。第１トレイ面上または第２トレイ面上に、第１ガイドが位置している。そして、第１ガイドには、第１トレイ面上と第２トレイ面上とを変位可能な第２ガイドが連結されている。
【０００９】
第１ガイドが第１トレイ面上に位置する構成では、第１ガイドは、第２トレイの回動軸心と直交かつ第１トレイ面に平行をなす第１方向に延びる。第１ガイドに連結された第２ガイドを第２トレイ面上に位置させることにより、第１ガイドおよび第２ガイドが第１トレイ面と第２トレイ面とに跨がった状態となる。これにより、第１ガイドおよび第２ガイドで構成されるガイドが第１方向に長く延びる。そのため、第１トレイ面および第２トレイ面上にシートが載置されたときに、そのシートの第１方向と直交する方向の端縁に第１方向に長く延びるガイドを沿わせることができる。よって、シートを第１方向に案内するガイド機能の向上を図ることができる。その結果、シートの斜行を抑制することができる。
【００１０】
第１ガイドが第２トレイ面上に位置する構成では、第１ガイドは、第２トレイの回動軸心に直交かつ第２トレイ面に平行をなす第２方向に延びる。第１ガイドに連結された第２ガイドを第１トレイ面上に位置させることにより、第１ガイドおよび第２ガイドが第１トレイ面と第２トレイ面とに跨がった状態となる。これにより、第１ガイドおよび第２ガイドで構成されるガイドが第２方向に長く延びる。そのため、第１トレイ面および第２トレイ面上にシートが載置されたときに、そのシートの第２方向と直交する方向の端縁に第１方向に長く延びるガイドを沿わせることができる。よって、シートを第２方向に案内するガイド機能の向上を図ることができる。その結果、シートの斜行を抑制することができる。
【００１１】
第１ガイドは、第１トレイ面上に位置し、かつ第１方向に延び、筐体には、第１トレイに対して第２トレイと反対側に、第１方向に開口した給紙口が形成されていてもよい。
【００１２】
この構成によれば、給紙口の近くに、第１ガイドが位置する。そのため、給紙口の近傍において、第１ガイドにより、シートを第１方向に案内することができる。よって、シートの第１方向と直交する方向の端縁が第１方向に延びた状態で、シートを給紙口に導入することができる。その結果、シートの斜行を一層抑制することができる。
【００１３】
第２ガイドは、第１トレイ面内で第１トレイ面と交差する方向に延びる回動軸心周りの回動により、第１トレイ面上と第２トレイ面上とを変位可能に設けられていてもよい。
【００１４】
この構成によれば、第１トレイ面上において、第１ガイドに対して第１方向および第２ガイドの回動軸心の両方と直交する方向に、第２ガイドを配置することができる。そのため、第２ガイドが第１トレイ面上に位置するときに、第２ガイドが第１ガイドと回動軸心の方向（高さ方向）に重なることを防止できる。よって、画像処理装置を高さ方向に小型化することができる。
【００１５】
第１ガイドは、第２トレイの回動軸心に沿った幅方向の一方側および他方側にそれぞれ設けられ、第２ガイドは、個々の第１ガイドに対応して設けられ、かつ第１方向と他方の第２ガイドに向かう幅方向との間で、第１トレイ面内で第１トレイ面と交差する方向に延びる回動軸心周りの回動により、第１トレイ面上と第２トレイ面上とを変位可能であってもよい。
【００１６】
この構成によれば、第２ガイドは、他方の第２ガイドに向かう幅方向に変位可能なので、他方の第２ガイドと反対方向の幅方向に変位するよりも、画像処理装置を幅方向に小型化できる。
【００１７】
少なくとも一方の第１ガイドは、幅方向に移動可能に構成され、第２ガイドは、少なくとも一方の第１ガイドが他方の第１ガイドに最も近接し、第２ガイドが第１トレイ面上に位置する状態において、各第２ガイドの幅方向の長さの和が一方の第２ガイドの回動軸心と他方の第２ガイドの回動軸心との間の距離よりも短くなるように形成されていることが好ましい。
【００１８】
この構成によれば、一方の第１ガイドと他方の第１ガイドとが幅方向に最も近接している状態で、一方の第１ガイドと他方の第１ガイドとの間に、各ガイドに対応して設けられた第２ガイドを幅方向に並べて配置することができる。そのため、第１トレイ面上において、一方の第２ガイドと他方の第２ガイドとが第１方向に重なることを防止できる。よって、画像処理装置を第１方向に小型化することができる。
【００１９】
第２ガイドは、第２ガイドの回動軸心に沿った方向において、第１ガイドの高さ以下の高さを有していることが好ましい。
【００２０】
この構成によれば、第１トレイ面上において、第２ガイドが第１ガイドに対して第２ガイドの回動軸心の方向に突出しない。そのため、第２ガイドを第１トレイ面上に配置するために、第１トレイ面上のスペースを第２ガイドの回動軸心方向に拡大する必要がない。よって、画像処理装置が第２ガイドの回動軸心方向に大型化することを抑制できる。
【００２１】
第２トレイは、回動により、第１トレイ面に対して相対的に開いた状態となる開位置と第１トレイ面に対して相対的に閉じた状態となる閉位置とに変位可能であり、第２ガイドは、第２トレイが開位置に位置する状態において、回動により、他方の第２ガイドに向かう幅方向の収納位置と第２トレイ面上の使用位置とに変位可能に設けられていてもよい。
【００２２】
この構成によれば、第２トレイが、閉位置に位置し、第２ガイドが収納位置に位置する状態において第２トレイと筐体との間には第２ガイドが位置しないので、第２トレイと筐体との間を近づけることができる。従って、画像処理装置を小型化できる。
【００２３】
第２ガイドは、使用位置において、第２ガイドの回動軸心に対して第１方向に最も離間する先端部が第２ガイドの回動軸心に対して幅方向の内側に位置する形状に形成されていることが好ましい。
【００２４】
第２ガイドが使用位置に位置した状態のまま、第２トレイが開位置から閉位置に変位されると、第２トレイが第２ガイドの先端部に当接し、第２トレイから第２ガイドの先端部に押圧力が加わる。第２ガイドの先端部が第２ガイドの回動軸心に対して幅方向の内側に位置しているので、その押圧力は、第２ガイドを回動させる力に変換される。その結果、第２トレイを開位置から閉位置に変位させるとともに、第２ガイドを使用位置から収納位置に向けて変位させることができる。
【００２５】
また、第２ガイドは、使用位置において先端部から第２ガイドの回動軸心に向かって傾斜する傾斜部を備えていることが好ましい。
【００２６】
この場合、第２トレイが開位置から閉位置に変位されるときに、第２トレイが第２ガイドの先端部に当接した後、第２トレイの変位に伴って、第２トレイが傾斜部に当接し、その当接範囲が増大する。そのため、第２トレイが傾斜部に当接している間、第２トレイから第２ガイドに押圧力が付与される。その結果、第２トレイの変位に伴って、第２ガイドが使用位置から収納位置に向けてスムーズに変位させることができる。
【００２７】
傾斜部は、第２ガイドが使用位置に位置する状態において、第２ガイドの回動軸心と先端部とを結ぶ直線に対して幅方向の外側に形成されてもよい。
【００２８】
この場合、傾斜部の幅方向の外側の端部と第２ガイドの回動軸心との第１方向の間隔を大きく確保することができる。そのため、第２ガイドにおいて、シートの幅方向の端縁が当接する面（ガイド面）の長さを確保することができる。その結果、第２ガイドによるガイド機能のさらなる向上を図ることができる。
【００２９】
傾斜部は、第２ガイドが使用位置に位置する状態において、第２ガイドの回動軸心と先端部とを結ぶ直線に対して幅方向の内側に形成されてもよい。
【００３０】
この場合、第２トレイが開位置から閉位置に変位されるときに、第２トレイが傾斜部に引っ掛かりにくくなる。その結果、第２トレイおよび第２ガイドをスムーズに変位させることができる。
【００３１】
第２トレイは、開位置において、第２トレイの回動軸心が第２トレイ面を含む平面に対して第２ガイド側に位置するように設けられていてもよい。
【００３２】
第２トレイを開位置から閉位置に移動させるときに、第２トレイにより第２ガイドの先端部に加えられる力の向きは、第２ガイドの回動軸心に直交する面（第２ガイド回動面）に対して傾きを有している。この力の向きは、第２トレイの回動軸心が第２トレイ面を含む平面に対して第２ガイド側に位置する構成の場合、第２トレイの回動軸心が第２トレイ面を含む平面内に位置する構成と比較して、第２ガイド回動面に近づく。そのため、前者の構成の方では、後者の構成と比較して、第２ガイドの先端部に加わる力における第２ガイド回動面に沿う方向の成分が大きい。したがって、第２ガイドは、第２トレイの開位置から閉位置への移動に伴ってより小さい力で使用位置から収納位置に回動されることができる。よって、第２トレイを、開位置から閉位置に容易に移動させることができる。
【００３３】
第２トレイには、貫通孔が第２トレイ面と直交する方向に貫通して形成されていてもよい。この場合、第２ガイドは、使用位置において、先端部が貫通孔に対して第２トレイの回動軸心側に位置するように形成されていることが好ましい。
【００３４】
これにより、第２トレイが開位置から閉位置に変位されるときに、第２ガイドの先端部が貫通孔に引っ掛かることを抑制できる。よって、第２トレイおよび第２ガイドをよりスムーズに変位させることができる。
【００３５】
画像処理装置は、第２ガイドを収納位置から使用位置に向けて付勢する付勢手段を備えていてもよい。
【００３６】
この場合、第２トレイが閉位置から開位置に変位されると、付勢手段の付勢により、第２ガイドを収納位置から使用位置に変位させることができる。
【００３７】
本発明の他の実施形態に係る画像処理装置は、画像処理部を内部に備える筐体と、筐体に設けられ、第１トレイ面を有する第１トレイと、第１トレイに回動可能に支持され、第２トレイ面を有する第２トレイと、第１トレイ面上に位置し、第２トレイの回動軸心に直交かつ第１トレイ面に平行をなす第１方向に延びる第１ガイドと、第１ガイドに連結され、第１トレイ面に垂直な方向に延びる回動軸心周りに第１トレイ面上と第２トレイ面上とを回動可能な第２ガイドとを備える。
【００３８】
この構成によれば、画像処理装置は、第１トレイおよび第２トレイを備えている。第１トレイは、画像処理部を内部に備える筐体に設けられている。第２トレイは、第１トレイに回動可能に支持されている。第１トレイおよび第２トレイは、それぞれ第１トレイ面および第２トレイ面を有している。第１トレイ面上に、第１ガイドが位置している。そして、第１ガイドには、第１トレイ面上と第２トレイ面上とを変位可能な第２ガイドが連結されている。
【００３９】
第１ガイドは、第２トレイの回動軸心と直交かつ第１トレイ面に平行をなす第１方向に延びる。第１ガイドに連結された第２ガイドを第２トレイ面上に位置させることにより、第１ガイドおよび第２ガイドが第１トレイ面と第２トレイ面とに跨がった状態となる。これにより、第１ガイドおよび第２ガイドで構成されるガイドが第１方向に長く延びる。そのため、第１トレイ面および第２トレイ面上にシートが載置されたときに、そのシートの第１方向と直交する方向の端縁に第１方向に長く延びるガイドを沿わせることができる。よって、シートを第１方向に案内するガイド機能の向上を図ることができる。その結果、シートの斜行を抑制することができる。
【００４０】
また、第１トレイ面上において、第１ガイドに対して第１方向および第２ガイドの回動軸心の両方と垂直な方向に、第２ガイドを配置することができる。そのため、第２ガイドが第１トレイ面上に位置するときに、第２ガイドが第１ガイドと回動軸心の方向（高さ方向）に重なることを防止できる。よって、画像処理装置を高さ方向に小型化することができる。
【発明の効果】
【００４１】
本発明によれば、シートの斜行を抑制できる。
【図面の簡単な説明】
【００４２】
【図１】本発明の一実施形態に係る画像読取装置の斜視図であり、トレイが閉位置に位置する状態を示す。
【図２】画像読取装置の斜視図であり、トレイが開位置に位置する状態を示す。
【図３】第１トレイおよび第２トレイの平面図であり、第２ガイドが使用位置に位置する状態を示す。
【図４】図３に示される切断面線Ａ−Ａにおける第１トレイおよび第２トレイの断面図であり、第１トレイが延びる方向を前後方向として示す。
【図５】第１トレイおよび第２トレイの平面図であり、第２ガイドが収納位置に位置する状態を示す。
【図６】第１トレイおよび第２トレイの平面図であり、左右の幅ガイドが最も近接し、第２ガイドが使用位置に位置する状態を示す。
【図７】第１トレイおよび第２トレイの平面図であり、左右の幅ガイドが最も近接し、第２ガイドが収納位置に位置する状態を示す。
【図８】右側の幅ガイドの斜視図であり、第２ガイドが使用位置に位置する状態を第１トレイが延びる方向を前後方向として示す。
【図９】右側の幅ガイドの斜視図であり、第２ガイドが収納位置に位置する状態を第１トレイが延びる方向を前後方向として示す。
【図１０】幅ガイドを第１トレイ側から見た平面図であり、第２ガイドが使用位置に位置する状態を第１トレイが延びる方向を前後方向として示す。
【図１１】幅ガイドを第１トレイ側から見た平面図であり、第２ガイドが収納位置に位置する状態を第１トレイが延びる方向を前後方向として示す。
【図１２】第１トレイおよび第２トレイの正面図であり、トレイが閉位置に位置する状態を示す。
【図１３】図１２に示される切断面線Ｂ−Ｂにおける第１トレイおよび第２トレイの断面図である。
【図１４】画像読取装置の図解的な断面図である。
【図１５】第２変形例に係る幅ガイドの斜視図であり、第２ガイドが使用位置に位置する状態を第１トレイが延びる方向を前後方向として示す。
【図１６】第２変形例に係る幅ガイドの斜視図であり、第２ガイドが収納位置に位置する状態を第１トレイが延びる方向を前後方向として示す。
【図１７】第１変形例に係る幅ガイドの平面図であり、第２ガイドが使用位置に位置する状態を第１トレイが延びる方向を前後方向として示す。
【図１８】第１変形例に係る幅ガイドの平面図であり、第２ガイドが収納位置に位置する状態を第１トレイが延びる方向を前後方向として示す。
【発明を実施するための形態】
【００４３】
以下では、本発明の実施の形態について、添付図面を参照しつつ詳細に説明する。
【００４４】
＜全体構成＞
【００４５】
図１および図２に示されるように、画像読取装置１は、シートＳ（図１４参照）の画像を読み取るための装置であり、筐体２およびトレイ３を備えている。
【００４６】
トレイ３は、筐体２に対して閉じた閉位置と筐体２に対して開いた開位置とに変位可能に設けられている。トレイ３が開位置に位置する状態において、トレイ３上に、読取対象のシートＳを載置することができる。
【００４７】
なお、図１〜図３、図５〜図７および図１２〜図１４の各図では、筐体２に対してトレイ３の開位置側を後側として、水平面上に載置された画像読取装置１を前側から見て規定した方向を矢印で表示し、以下の説明では、その矢印で示される方向を使用する。
【００４８】
トレイ３は、第１トレイ１１、第２トレイ１２および第３トレイ１３を備えている。第１トレイ１１は、筐体２に設けられている。第１トレイ１１は、左右方向に延びている。第１トレイ１１の長手方向（左右方向）に沿った一端部は、筐体２の後端部における上下方向の略中央部に、左右方向に延びる回動軸心１４周りに回動可能に連結されている。これにより、第１トレイ１１は、トレイ３の閉位置および開位置に対応して、図１に示されるように、筐体２の背面に沿って回動軸心１４の上方に延びる状態と、図２に示されるように、筐体２の後側に傾倒して、筐体２から後上方に傾斜して延びる状態とをなす。
【００４９】
第２トレイ１２は、左右方向において、第１トレイ１１とほぼ同じ寸法に形成されている。第２トレイ１２は、第１トレイ１１に回動可能に支持されている。具体的には、第２トレイ１２の左右方向に沿った一端部には、その左右方向の両端から外側に延びる軸部１５（図４参照）が形成されている。第１トレイ１１には、筐体２に連結されている側と反対側の左角部および右角部に、それぞれ丸孔を有する軸受部１６（図４参照）が形成されている。そして、各軸部１５が軸受部１６に左右方向の内側から挿入されて、各軸部１５が軸受部１６に回動可能に支持されている。これにより、第２トレイ１２は、第１トレイ１１に、軸部１５の中心を延びる回動軸心１７周りに回動可能に支持されている。回動軸心１７は、図４に示されるように、第２トレイ１２の第２トレイ面７１（図３参照）を含む平面の上側に位置している。開位置に位置する第１トレイ１１の第１トレイ面３５に沿ったシートＳの搬送方向、すなわち第１トレイ面３５に沿った回動軸心１７に垂直な方向を第１方向とし、第２トレイ面７１に沿ったシートＳの搬送方向、すなわち第２トレイ面７１に沿った回動軸心１７に垂直な方向を第２方向とする。
【００５０】
なお、図４では、第１トレイ１１が延びる第１方向を前後方向とし、開位置に位置する第２トレイ１２側を後側とする。第１トレイ面３５に垂直な方向を上下方向として第１トレイ面３５側を上側とする。
【００５１】
第２トレイ１２は、トレイ３が閉位置に位置しているときに閉位置に位置し、トレイ３が開位置に位置しているときに開位置に位置する。第２トレイ１２の閉位置は、図１に示されるように、第１トレイ１１に対して屈曲し、筐体２の上面１８を覆う状態となる位置である。第２トレイ１２の開位置は、図２に示されるように、第１トレイ１１に対して後側に開いて、第１トレイ１１から後上方に傾斜して延びる状態となる位置である。第２トレイ１２は、閉位置において第１トレイ面３５に対して相対的に閉じた状態となる。また、第２トレイ１２は、開位置において第１トレイ面３５に対して相対的に開いた状態となる。すなわち、第２トレイ１２が開位置に位置する状態において、第１トレイ面３５と第２トレイ面７１とがなす角度は、第２トレイ１２が閉位置に位置する状態において、第１トレイ面３５と第２トレイ面７１とがなす角度よりも広い。第２トレイ１２の開位置の一例では、第２トレイ面７１が第１トレイ１２においてシートＳが載置される第１トレイ面３５に対して９０度より大きく１８０度以下の角度をなしている。また、第２トレイ１２の閉位置の一例では、第２トレイ面７１が第１トレイ面３５に対して９０度より小さい角度をなしている。
【００５２】
第２トレイ１２の中央部には、貫通孔の一例としての開口１９が貫通して形成されている。開口１９は、トレイ３が閉位置に位置する状態において、筐体２の上面１８に配置された操作パネル２０を露出させるための開口である。開口１９が形成されていることにより、トレイ３が閉位置および開位置のいずれに位置する状態においても、ユーザが操作パネル２０にアクセスすることができる。
【００５３】
第３トレイ１３は、左右方向において、第１トレイ１１および第２トレイ１２とほぼ同じ寸法に形成されている。第３トレイ１３は、第２トレイ１２の第１トレイ１１側と反対側の端部に、左右方向に延びる回動軸心２１周りに回動可能に連結されている。これにより、第３トレイ１３は、トレイ３の閉位置および開位置に対応して、図１に示されるように、第２トレイ１２に対して下方に屈曲し、筐体２の前面に沿って延びる状態と、図２に示されるように、第２トレイ１２に対して後側に開いて、第２トレイ１２から後上方に傾斜して延びる状態とをなす。
【００５４】
第１トレイ１１は、図３および図４に示されるように、外側部材３１および内側部材３２を備えている。外側部材３１は、左右方向に延びる板状部３３と、板状部３３の左右両端縁および第２トレイ１２側の端縁から立ち上がる壁部３４とを一体的に有している。内側部材３２は、外側部材３１の壁部３４に囲まれる部分に、板状部３３と間隔を空けて配置されている。
【００５５】
内側部材３２の外側部材３１側と反対側の面は、シートＳが載置される第１トレイ面３５である。第１トレイ面３５は、トレイ３が閉位置に位置する状態で筐体２の背面に後側から対向し、トレイ３が開位置に位置する状態で上前側を向く。
【００５６】
第１トレイ面３５には、図３、図５、図６および図７に示されるように、その左右方向の中央よりも右側の位置に、突条３６が形成されている。突条３６は、第１トレイ面３５から第１トレイ面３５に垂直な方向に突出し、第１トレイ面３５の前後方向の全長にわたって延びている。突条３６の上面は、第１トレイ面３５と平行をなしている。
【００５７】
また、内側部材３２には、突条３６の左右両側に、ガイド開口３７が第１トレイ面３５に垂直な方向に貫通して形成されている。ガイド開口３７は、左右方向に直線状に延びている。
【００５８】
各ガイド開口３７上には、幅ガイド４１がガイド開口３７に沿って移動可能に設けられている。左側の幅ガイド４１は、右側の幅ガイド４１と左右反転した構成を有している。以下、右側の幅ガイド４１を取り上げて、幅ガイド４１の構成について説明する。
【００５９】
幅ガイド４１は、図８、図９、図１０および図１１に示されるように、第１ガイド４２および第２ガイド４３を備えている。第１ガイド４２は、第１載置部５１、第１規制部５２および挿入部５３を一体的に有している。なお、図８、図９、図１０および図１１では、第１トレイ１１が延びる第１方向を前後方向とし、開位置に位置する第２トレイ１２側を後側とする。第１トレイ面３５に垂直な方向を上下方向として第１トレイ面３５側を上側とする。
【００６０】
第１載置部５１は、板状をなしている。第１載置部５１は、左右方向に延びる本体部５４と、本体部５４の右端部から後側に延びる延部５５とを含む。本体部５４と延部５５とは、一体に形成されている。延部５５の後端部には、図１０および図１１に示されるように、後側および下側に開放された溝５６が形成されている。溝５６は、後側に開放されている。溝５６が形成されることにより、延部５５は、第１面５７、第２面５８、第３面５９および第４面６０を有している。第１面５７は、第１載置部５１の後端から前側に直線状に延びる平面に形成されている。第２面５８は、第１面５７の前端から左側に直線状に延びる平面に形成されている。第３面５９は、第２面５８の左端から後側に第１面５７と平行をなして延びる平面に形成されている。前後方向において、第３面５９の長さは、第１面５７の長さの半分程度である。第４面６０は、第３面５９の後端から左側に膨出して後側に延びる円弧面に形成されている。また、延部５５は、本体部５４の後端面６１に対して右後側に傾斜して延びる左端面６２を有している。さらに、溝５６内には、円筒部６３が下方に突出して形成されている。そして、延部５５の後端部には、軸挿通孔６４が上下方向に貫通して形成されている。
【００６１】
第１規制部５２は、図８および図９に示されるように、第１載置部５１の右端部から上方に立ち上がり、前後方向に延びている。第１規制部５２の左端面をなす第１ガイド面６５は、第１載置部５１の上面に対して直交し、前後方向に延びる平面に形成されている。第１規制部５２の後端部６６は、他の部分よりも薄肉に形成され、第１載置部５１の延部５５の後端部と間隔を空けて設けられている。後端部６６には、第１載置部５１の軸挿通孔６４と上下に重なる位置に、軸挿通孔６４と同じ内径を有する円形の軸挿通孔６７が上下方向に貫通して形成されている。
【００６２】
挿入部５３は、図１０および図１１に示されるように、第１載置部５１の下面に対して突出し、左右方向に延びている。挿入部５３は、ガイド開口３７に挿入されて、その後端面６８がガイド開口３７の後縁６９に前側から当接している。  
【００６３】
第２ガイド４３は、図３、図５、図６および図７に示されるように、収納位置と使用位置とに変位可能に設けられている。第２ガイド４３は、収納位置において第１トレイ１１の第１トレイ面上３５に位置し、使用位置において第２トレイ１２の第２トレイ面上７１に位置する。第２トレイ面７１は、トレイ３が閉位置に位置する状態で筐体２の上面１８に上側から対向し、トレイ３が開位置に位置する状態で上前側を向く面であり、シートＳが載置される面である。第２ガイド４３は、第２載置部８１および第２規制部８２を一体的に有している。
【００６４】
第２載置部８１は、板状をなしている。第２載置部８１は、図８および図９に示されるように、第１端面８３、第２端面８４および第３端面８５を有している。第１端面８３は、図９に示されるように、第２ガイド４３が収納位置に位置する状態において、第１ガイド４２の第１載置部５１の左端面６２と平行をなして延びる平面に形成されている。第２端面８４は、第２ガイド４３が収納位置に位置する状態において、第１端面８３の下端から右側に、第１ガイド４２の第１載置部５１の後端面６１と平行をなして延びる平面に形成されている。第３端面８５は、第２ガイド４３が収納位置に位置する状態において、第２端面８４の左端から第１端面８３と平行に延びる平面に形成されている。
【００６５】
また、第２載置部８１の下面には、図１０および図１１に示されるように、第２ガイド４３が収納位置に位置する状態において、第１ガイド４２側に開放される直線状の溝８０が形成されている。
【００６６】
第２規制部８２は、図８および図９に示されるように、第２載置部８１から上方に立ち上がっている。第２規制部８２の上面は、第１トレイ面３５と直交する方向において、第１ガイド４２の第１規制部５２の上面よりも低い位置に位置している。第２規制部８２は、第２ガイド４３が収納位置に位置する状態では、図９に示されるように、第２ガイド４３の後端部において左右方向に延び、第２ガイド４３が使用位置に位置する状態では、図８に示されるように、第２ガイド４３の右端部において前後方向に延びる。第２規制部８２は、第２ガイド４３が使用位置に位置する状態において、第１ガイド４２の第１ガイド面６５を含む平面内に配置される第２ガイド面８６を有している。
【００６７】
また、第２規制部８２は、第１ガイド４２側の端部から第１ガイド４２側に延設された延設部８７を一体的に有している。延設部８７には、上方に突出する上軸部８８と、下方に突出する円筒部６３とが形成されている。延設部８７は、第１ガイド４２の延部５５と第１規制部５２の後端部６６との間に差し込まれている。そして、上軸部８８は、軸挿通孔６７に挿通され、円筒部６３は、軸挿通孔６４に挿通されている。これにより、第２ガイド４３は、第１ガイド４２に対して、上軸部８８および円筒部６３を支点に回動可能に設けられている。第２ガイド４３は、第２トレイ１２より軽く、樹脂などで形成されている。
【００６８】
また、幅ガイド４１は、図１０および図１１に示されるように、ねじりばね９１を備えている。ねじりばね９１のコイル部９２は、円筒部６３に外嵌されている。ねじりばね９１の一方のアーム部９３は、第１ガイド４２の溝５６における第１面５７と第３面５９との間に配置され、他方のアーム部９４は、第２ガイド４３に形成された溝８０内に配置されている。ねじりばね９１は、第２ガイド４３が使用位置に位置するときと比較して収納位置に位置するときに、ねじりが多く加えられた状態にある。そのため、ねじりばね９１は、第２ガイド４３が収納位置から使用位置に向かう方向に、第２ガイド４３を付勢している。すなわち、ねじりばね９１は、第２ガイド４３が左方向から後方向に回動する方向に、第２ガイド４３を付勢している。
【００６９】
トレイ３が開位置に位置する状態において、第２ガイド４３は、図３および図６に示されるように、ねじりばね９１の付勢力により、使用位置に保持されている。第２ガイド４３が使用位置に位置する状態において、第２ガイド４３の第２端面８４と第３端面８５とがなす角部は、第２ガイド４３の回動軸心である上軸部８８および円筒部６３の中心線から最も離間した先端部１０１となる。先端部１０１は、上軸部８８および円筒部６３の中心線よりも左側に位置し、第２トレイ１２の第２トレイ面７１に当接している。また、第２ガイド４３の第３端面８５は、先端部１０１と上軸部８８および円筒部６３の中心線とを結ぶ直線Ｌ１に対して右側に位置している。さらに、先端部１０１は、図６に示されるように、第２トレイ１２の開口１９の前端縁１０２よりも前側に位置している。
【００７０】
トレイ３が開位置に位置し、第２ガイド４３が使用位置に位置する状態から、トレイ３が閉位置に向けて変位されると、第２トレイ１２の第２トレイ面７１により、第２ガイド４３の先端部１０１が前側に押される。先端部１０１が上軸部８８および円筒部６３の中心線よりも左側に位置しているので、先端部１０１が第２トレイ面７１により押されると、第２ガイド４３が上軸部８８および円筒部６３を支点に左側に回動する。トレイ３が閉位置に近づくにつれて、第２ガイド４３が収納位置に近づく。そして、第２トレイ面７１が第２ガイド４３の第３端面８５に当接する。その後、トレイ３の変位がさらに進むと、第２トレイ面７１が第２ガイド４３の第２規制部８２の先端部に当接し、第２トレイ面７１により、その先端部が前側に押される。これにより、第２ガイド４３がさらに回動する。そして、トレイ３が閉位置に位置すると、図１２に示されるように、図９における第２規制部８２の左後端部が第２トレイ面７１に当接した状態で第２ガイド４３が収納位置に配置され、図１３に示されるように、幅ガイド４１が筐体２と第１トレイ１１との間に収容される。
【００７１】
トレイ３が閉位置に位置し、第２ガイド４３が収納位置に位置する状態において、ねじりばね９１の付勢力により、第２ガイド４３の第２規制部８２の先端部が第２トレイ面７１に当接している。そのため、トレイ３が開位置から閉位置に向けて変位されると、第２トレイ１２が第１トレイ１１に対して開くにつれて、ねじりばね９１の付勢力により、第２ガイド４３が収納位置から使用位置に向けて変位する。そして、トレイ３が開位置に位置すると、図３および図６に示されるように、第２ガイド４３が使用位置に配置される。
【００７２】
また、第１トレイ１１の外側部材３１と内側部材３２との間には、左右の幅ガイド４１を連動させる連動機構（図示せず）が設けられている。連動機構が設けられていることにより、左右の幅ガイド４１は、突条３６を中央基準として、互いに逆方向に同じ移動量で変位する。左右の幅ガイド４１が互いに最も近接する位置まで変位されると、図７に示されるように、各幅ガイド４１の第１ガイド４２の第１載置部５１が突条３６に当接する。これにより、左右の上軸部８８の軸心間の最小間隔Ｌ２が規定される。この最小間隔Ｌ２は、第２ガイド４３の第２規制部８２の長手方向の長さＬ３の２倍よりも大きい間隔に設定されている。言い換えると、左右の第１ガイド４２が互いに最も近接し、各第２ガイド４３が第１トレイ面３５上の収納位置に位置する状態で、各第２ガイド４３の左右方向の長さＬ３の和は、左右の上軸部８８の軸心間の距離Ｌ２よりも短く形成されている。そのため、左右の幅ガイド４１が互いに最も近接する状態においても、左右の第２ガイド４３を収納位置に位置させることができる。これにより、第２ガイド４３は、上下方向に重なることなく収納位置に位置する。
【００７３】
左右の幅ガイド４１の位置は、画像読取装置１による読取対象のシートＳの左右方向の幅に合わせて調整される。そして、左右の第１ガイド４２の第１ガイド面６５間および第２ガイド４３の第２ガイド面８６間に、シートＳが差し込まれて、左右の第１ガイド４２の第１載置部５１および第２ガイド４３の第２載置部８１上にシートＳが載置される。シートＳは、突条３６の上面に当接し、左右両端部が第１載置部５１および第２載置部８１に支持されるとともに、左右方向の中央部が突条３６に支持される。その後、シートＳの画像の読取開始が指示されると、シートＳが筐体２に形成された給紙口１１０から筐体２内に引き込まれていく。給紙口１１０は、開位置に位置する第１トレイ１１に対して開位置に位置する第２トレイと反対側に位置し、第１方向に開口している。
【００７４】
筐体２内には、図１４に示されるように、供給ローラ１１１、分離片１１２、搬送ローラ対１１３、画像処理部の一例としての第１読取部１１４、画像処理部の一例としての第２読取部１１５および排出ローラ対１１６が設けられている。第１読取部１１４および第２読取部１１５は、たとえば、ＣＩＳ（Contact Image Sensor）を備えた構成である。
【００７５】
画像の読取開始が指示されると、供給ローラ１１１、搬送ローラ対１１３および排出ローラ対１１６が回転し始める。供給ローラ１１１が回転すると、供給ローラ１１１からシートＳに搬送力が付与され、シートＳの先端部が供給ローラ１１１と分離片１１２との間に移動する。シートＳが供給ローラ１１１と分離片１１２との間に挟まれたときに、シートＳが、１枚ずつに分離され、１枚のシートＳが供給ローラ１１１と分離片１１２との間を通過する。
【００７６】
その後、シートＳは、搬送ローラ対１１３に到達し、搬送ローラ対１１３からシートＳに搬送力が付与され、シートＳがさらに搬送される。そして、シートＳは、第１読取部１１４と第２読取部１１５との間を通過し、この通過中に、第１読取部１１４および／または第２読取部１１５により、シートＳの上面および／または下面の画像が読み取られる。
【００７７】
シートＳの搬送が進み、シートＳが排出ローラ対１１６に到達すると、排出ローラ対１１６からシートＳに搬送力が付与されて、シートＳが筐体２外に排出される。
【００７８】
＜作用効果＞
【００７９】
以上のように、画像読取装置１は、第１トレイ１１および第２トレイ１２を備えている。第１トレイ１１は、画像処理部を内部に備える筐体２に設けられている。第２トレイ１２は、第１トレイ１１に回動可能に支持されている。第１トレイ１１および第２トレイ１２は、それぞれ第１トレイ面３５および第２トレイ面７１を有している。第１トレイ面３５上に、第１ガイド４２が位置している。そして、第１ガイド４２には、第１トレイ面３５上と第２トレイ面７１上とを変位可能な第２ガイド４３が連結されている。
【００８０】
第１ガイド４２は、第２トレイ１２の回動軸心１７と直交かつ第１トレイ面３５に平行をなす第１方向である前後方向に延びる。第１ガイド４２に連結された第２ガイド４３を第２トレイ面７１上に位置させることにより、第１ガイド４２および第２ガイド４３が第１トレイ面３５と第２トレイ面７１とに跨がった状態となる。これにより、第１ガイド４２および第２ガイド４３で構成される幅ガイド４１が前後方向に長く延びる。そのため、第１トレイ面３５および第２トレイ面７１上にシートＳが載置されたときに、そのシートＳの左右方向の端縁に前後方向に長く延びる幅ガイド４１を沿わせることができる。よって、シートＳを前後方向に案内するガイド機能の向上を図ることができる。その結果、シートＳの斜行を抑制することができる。
【００８１】
第１ガイド４２は、第１トレイ面３５上に位置し、かつ前後方向に延び、筐体２には、第１トレイ１１に対して第２トレイ１２と反対側に、前後方向に開口した給紙口１１０が形成されている。そのため、給紙口１１０の近くに、第１ガイド４２が位置する。よって、給紙口１１０の近傍において、第１ガイド４２により、シートＳを前後方向に案内することができる。その結果、シートＳの斜行を一層抑制することができる。
【００８２】
第２ガイド４３は、第１トレイ面３５内で第１トレイ面３５と交差する方向に延びる回動軸心（上軸部８８および円筒部６３の軸心）周りの回動により、第１トレイ面３５上と第２トレイ面７１上とを変位可能に設けられている。これにより、第１トレイ面３５上において、第１ガイド４２に対して左右方向に、第２ガイド４３を配置することができる。そのため、第２ガイド４３が第１トレイ面３５上に位置するときに、第２ガイド４３が第１ガイド４２と回動軸心の方向（高さ方向）に重なることを防止できる。よって、画像読取装置１を高さ方向に小型化することができる。
【００８３】
第１ガイド４２は、左右方向の一方側および他方側にそれぞれ設けられ、第２ガイド４３は、個々の第１ガイド４２に対応して設けられ、かつ第１方向と他方の第２ガイド４３に向かう左右方向との間で、第１トレイ面３５内で第１トレイ面３５と垂直な方向に延びる回動軸心周りの回動により、第１トレイ面３５上と第２トレイ面７１上とを変位可能である。これにより、第２ガイド４３は、他方の第２ガイド４３に向かう左右方向に変位可能なので、他方の第２ガイド４３と反対方向の幅方向に変位するよりも、画像読取装置１を左右方向に小型化できる。
【００８４】
両方の第１ガイド４２は、左右方向に移動可能に構成され、第２ガイド４３は、両方の第１ガイド４２が互いに最も近接し、各第２ガイド４３が収納位置に位置する状態で、各第２ガイド４３の左右方向の長さＬ３の和が左右の上軸部８８の軸心間の距離Ｌ２よりも短くなるように形成されている。これにより、両方の第１ガイド４２が互いに左右方向に最も近接している状態で、両方の第１ガイド４２の間に、各第１ガイド４２に対応して設けられた第２ガイド４３を左右方向に並べて配置することができる。そのため、第１トレイ面３５上において、一方の第２ガイド４３と他方の第２ガイド４３とが前後方向に重なることを防止できる。よって、画像読取装置１を前後方向に小型化することができる。
【００８５】
第２ガイド４３は、第２ガイド４３の回動軸心に沿った方向において、第１ガイド４２の高さ以下の高さを有している。そのため、第１トレイ面３５上において、第２ガイド４３が第１ガイド４２に対して第２ガイド４３の回動軸心の方向に突出しない。よって、第２ガイド４３を第１トレイ面３５上に配置するために、第１トレイ面３５上のスペースを第２ガイド４３の回動軸心方向に拡大する必要がない。その結果、画像読取装置１が第２ガイド４３の回動軸心方向に大型化することを抑制できる。
【００８６】
第２トレイ１２は、回動により、第１トレイ面３５に対して相対的に開いた状態となる開位置と第１トレイ面３５に対して相対的に閉じた状態となる閉位置とに変位可能であり、第２ガイド４３は、第２トレイ１２が開位置に位置する状態において、回動により、他方の第２ガイド４３に向かう左右方向の収納位置と第２トレイ面７１上の使用位置とに変位可能に設けられている。これにより、第２トレイ１２が、閉位置に位置し、第２ガイド４３が収納位置に位置する状態において第２トレイ１２と筐体２との間には第２ガイド４３が位置しないので、第２トレイ１２と筐体２との間を近づけることができる。したがって、画像読取装置１を小型化できる。  
【００８７】
第２ガイド４３は、使用位置において、第２ガイド４３の回動軸心に対して前後方向（第１方向）に最も離間する先端部１０１が第２ガイド４３の回動軸心に対して左右方向の内側に位置する形状に形成されている。そのため、第２ガイド４３が使用位置に位置した状態のまま、第２トレイ１２が開位置から閉位置に変位されると、第２トレイ１２が第２ガイド４３の先端部１０１に当接し、第２トレイ１２から第２ガイド４３の先端部１０１に押圧力が加わる。第２ガイド４３の先端部１０１が第２ガイド４３の回動軸心に対して左右方向の内側に位置しているので、その押圧力は、第２ガイド４３を回動させる力に変換される。その結果、第２トレイ１２を開位置から閉位置に変位させるとともに、第２ガイド４３を使用位置から収納位置に向けて変位させることができる。
【００８８】
また、第２ガイド４３は、使用位置において先端部１０１から第２ガイド４３の回動軸心に向かって傾斜する第３端面８５を備えている。第２トレイ１２が開位置から閉位置に変位されるときに、第２トレイ１２が第２ガイド４３の先端部１０１に当接した後、第２トレイ１２の変位に伴って、第２トレイ１２が第３端面８５に当接し、その当接範囲が増大する。そのため、第２トレイ１２が第３端面８５に当接している間、第２トレイ１２から第２ガイド４３に押圧力が付与される。その結果、第２トレイ１２の変位に伴って、第２ガイド４３が使用位置から収納位置に向けてスムーズに変位させることができる。
【００８９】
第３端面８５は、第２ガイド４３が使用位置に位置する状態において、第２ガイド４３の回動軸心と先端部１０１とを結ぶ直線に対して左右方向の外側に形成されている。第３端面８５の左右方向の外側の端部と第２ガイド４３の回動軸心との前後方向（第１方向）の間隔を大きく確保することができる。そのため、第２ガイド４３において、シートＳの左右方向の端縁が当接する第２ガイド面８６の長さを確保することができる。その結果、第２ガイド４３によるガイド機能のさらなる向上を図ることができる。
【００９０】
第２トレイ１２は、開位置において、第２トレイ１２の回動軸心１７が第２トレイ面７１を含む平面に対して上側に位置するように設けられている。
【００９１】
第２トレイ１２を開位置から閉位置に移動させるときに、第２トレイ１２により第２ガイド４３の先端部１０１に加えられる力の向きは、第１トレイ面３５に対して傾きを有している。この力の向きは、第２トレイ１２の回動軸心１７が第２トレイ面７１を含む平面に対して第２ガイド４３側に位置する構成の場合、第２トレイ１２の回動軸心１７が第２トレイ面７１を含む平面内に位置する構成と比較して、第２ガイド回動面に近づく。そのため、前者の構成の方では、後者の構成と比較して、第２ガイド４３の先端部１０１に加わる力における第２ガイド回動面に沿う方向の成分が大きい。したがって、第２ガイド４３は、第２トレイ１２の開位置から閉位置への移動に伴ってより小さい力で使用位置から収納位置に回動されることができる。よって、第２トレイ１２を、開位置から閉位置に容易に移動させることができる。
【００９２】
第２トレイには、開口１９が第２トレイ面７１と直交する方向に貫通して形成されている。そして、第２ガイド４３は、使用位置において、先端部１０１が開口１９に対して第２トレイの回動軸心１７側に位置するように形成されている。これにより、第２トレイ１２が開位置から閉位置に変位されるときに、第２ガイド４３の先端部１０１4が開口１９に引っ掛かることを抑制できる。よって、第２トレイ１２および第２ガイド４３をよりスムーズに変位させることができる。
【００９３】
画像読取装置１は、第２ガイド４３を収納位置から使用位置に向けて付勢するねじりばね９１を備えている。そのため、第２トレイ１２が閉位置から開位置に変位されたときに、ねじりばね９１の付勢により、第２ガイド４３を収納位置から使用位置に変位させることができる。
【００９４】
＜変形例＞
【００９５】
前述の実施形態では、第２ガイド４３が回動により使用位置と収納位置とに変位される構成を取り上げた。しかしながら、図１５および図１６に示されるように、第２ガイド４３がスライドにより使用位置と収納位置とに変位される構成が採用されてもよい。なお、図１５および図１６では、第１トレイ１１が延びる第１方向を前後方向とし、開位置に位置する第２トレイ１２側を後側とする。第１トレイ面３５に垂直な方向を上下方向として第１トレイ面３５側を上側とする。
【００９６】
以下、右側の幅ガイド４１を取り上げて、図１５および図１６に示される構成について説明する。左側の幅ガイド４１は、右側の幅ガイド４１と左右反転した構成を有している。
【００９７】
第１ガイド４２は、第１載置部１２１、第１規制部１２２および挿入部１２３を一体的に有している。
【００９８】
第１載置部１２１は、板状をなしている。
【００９９】
第１規制部１２２は、第１載置部１２１の右端部から上方に立ち上がり、前後方向に延びている。第１規制部１２２の前端部１２４は、前端部１２４よりも後側に延びる後部１２５よりも左右方向に大きな幅を有している。前端部１２４の左端面は、第１ガイド面１２６であり、第１載置部１２１の上面に対して直交し、前後方向に延びる平面に形成されている。また、後部１２５の左端面には、前後方向に延びるスライド溝１２７が形成されている。
【０１００】
挿入部１２３は、第１載置部１２１の下面に対して突出し、左右方向に延びている。挿入部１２３は、図１０および図１１に示される挿入部５３と同じ構成で同じ機能を有する。
【０１０１】
第２ガイド４３は、第２載置部１３１および第２規制部１３２を一体的に有している。
【０１０２】
第２載置部１３１は、板状をなしている。
【０１０３】
第２規制部１３２は、第２載置部１３１から上方に立ち上がっている。第２規制部１３２の上面は、第１トレイ面３５（図３参照）と直交する方向において、第１ガイド４２の第１規制部１２２の上面よりも低い位置に位置している。また、第２規制部１３２は、第１ガイド４２の第１ガイド面１２６と同一平面内に配置される第２ガイド面１３３を有している。さらに、第２規制部１３２は、図示されないが、前後方向に延びる嵌合突起を有している。嵌合突起は、第１ガイド４２のスライド溝１２７に嵌合されて、スライド溝１２７内を前後方向に移動可能に設けられている。これにより、第２ガイド４３は、図１５に示される使用位置と図１６に示される収容位置とに変位可能である。
【０１０４】
トレイ３が開位置に位置し、第２ガイド４３が使用位置に位置する状態において、左右の幅ガイド４１の位置がシートＳの左右方向の幅に合わせて調整される。その後、シートＳが左右の第１ガイド面１２６間および第２ガイド面１３３間に差し込まれて、シートＳが左右の第１ガイド４２の第１載置部５１および第２ガイド４３の第２載置部８１上に載置される。
【０１０５】
また、第２ガイド４３が回動により使用位置と収納位置とに変位される構成において、第２ガイド４３の第２載置部８１が図１７および図１８に示される形状に形成されてもよい。すなわち、図８および図９に示される形状と比較して、第２載置部８１の第２端面８４と第３端面８５とがなす角度が小さくなり、かつ、第３端面８５が先端部１０１と第２ガイド４３の回動軸心とを直線Ｌ１に対して左側に位置するように、第３端面８５が形成されていてもよい。
【０１０６】
なお、図１７および図１８では、第１トレイ１１が延びる第１方向を前後方向とし、開位置に位置する第２トレイ１２側を後側とする。第１トレイ面３５に垂直な方向を上下方向として第１トレイ面３５側を上側とする。
【０１０７】
図１７および図１８に示される構成では、第２トレイ１２が開位置から閉位置に変位されるときに、第２トレイ１２が第２ガイド４３に引っ掛かりにくくなる。その結果、第２トレイ１２および第２ガイド４３をスムーズに変位させることができる。
【０１０８】
また、前述の実施形態および変形例では、第１ガイド４２は、第１トレイ１１の第１トレイ面３５に固定され、第２ガイド４３は、第１トレイ面上と第２トレイ面上とを変位可能に設けられているとしたが、第２ガイド４３が第２トレイ１２に固定され、第１ガイド４２が第１トレイ面３５上と第２トレイ面７１上とに変位可能に設けられてもよい。
【０１０９】
また、前述の実施形態においては、第２ガイド４３は、使用位置から他方の第２ガイド４３に向かう左右方向に回動して収納位置に位置したが、使用位置から他方の第２ガイド４３と反対方向の左右方向に回動して収納位置に位置してもよい。
【０１１０】
また、前述の実施形態では、本発明の画像処理装置が画像読取装置１に適用され、画像処理部に第１読取部１１４および第２読取部１１５が適用された場合を例にとったが、本発明の画像処理装置は、画像読取装置１以外に、シートＳに画像を形成する画像形成装置に適用することもできる。この場合、シートＳに画像を形成する画像形成部が本発明の画像処理部の一例である。画像形成部における画像形成の方式は、電子写真方式であってもよいし、インクジェット方式であってもよい。
【０１１１】
その他、前述の構成には、特許請求の範囲に記載された事項の範囲で種々の設計変更を施すことが可能である。
【符号の説明】
【０１１２】
１      画像読取装置
２      筐体
１１    第１トレイ
１２    第２トレイ
１９    開口
１７    回動軸心
４２    第１ガイド
４３    第２ガイド
６０    第３端面（傾斜部）
６３    円筒部（回動軸心）
８８    上軸部（回動軸心）
９１    ねじりばね（付勢手段）
１０１  先端部
１１０  給紙口
１１４  第１読取部
１１５  第２読取部
【図１】
2015074516.tif 000003
【図２】
2015074516.tif 000004
【図３】
2015074516.tif 000005
【図４】
2015074516.tif 000006
【図５】
2015074516.tif 000007
【図６】
2015074516.tif 000008
【図７】
2015074516.tif 000009
【図８】
2015074516.tif 000010
【図９】
2015074516.tif 000011
【図１０】
2015074516.tif 000012
【図１１】
2015074516.tif 000013
【図１２】
2015074516.tif 000014
【図１３】
2015074516.tif 000015
【図１４】
2015074516.tif 000016
【図１５】
2015074516.tif 000017
【図１６】
2015074516.tif 000018
【図１７】
2015074516.tif 000019
【図１８】
2015074516.tif 000020